(57)【特許請求の範囲】
【請求項１】
一対の側板部と、これら側板部相互間に架け渡された天板部と、該天板部の下面側にその長さ方向に沿わせて配設された印字ヘッドとを備えてなるプリンタ本体と、ホルダ付きのロール紙を収容する凹曲カバー本体部と、該凹曲カバー本体部に設けられてプリンタ本体の前記側板部側に各別に揺動可能に取り付けられる一対の支腕部とを備えてなるプラテンローラ付きのロール紙カバーとを備え、
装填された前記ロール紙から引き出された供給紙片部の送り出し方向を規制すべく、いずれか一方の側に位置する前記側板部と、該側板部側に位置する前記支腕部が内側面に備える凹部を介して配置される可動案内片との間で形成される給紙方向規制機構は、
前記プラテンローラの周方向での略後半部周りに配置されて前記ロール紙から引き出された前記供給紙片部の対向側縁と面一となって対面する内側面高さを有する送出ガイド部と、該送出ガイド部から後方に延設され、かつ、前記ホルダの外側面と当接する突出長を有して該ホルダの支軸を下支えする軸受け部をその内側面に備えてなる案内片本体部とを前記可動案内片に具備させるとともに、
前記側板部の内側面に突設された大径筒部と、前記可動案内片がその外側面に備えて前記支腕部の挿通孔を介して前記大径筒部内に挿入される小経筒部とを、相互間に圧縮用コイルスプリングを内在させて組み合わせることにより構成し、
前記可動案内片を介して他方の前記側板部側に常に押圧付勢された状態のもとで装填されるロール紙から引き出される前記供給紙片部の前記対向側縁は、前記送出ガイド部の前記内側面を介して該内側面と常に面一となるようにすることで、前記供給紙片部の送り出し方向の規制を可能としたことを特徴とするロール紙用プリンタ。
【請求項２】
前記可動案内片には、該可動案内片が必要以上に前記他側板側に押し込まれないようにすべく、前記支腕部に設けられた掛止孔への掛止を可能に挿通配置されるストッパー片をその外側面に具備させた請求項１に記載のロール紙用プリンタ。
【発明の詳細な説明】
【技術分野】
【０００１】
本発明は、ロール紙の送り出し方向を位置規制して蛇行させることなく印字ヘッド側に円滑に送り出せるようにしたロール紙用プリンタに関する技術である。
【背景技術】
【０００２】
波形記録計などの計測機器には、記録紙に波形などの必要情報を印字するプリンタを備えているものもあり、この場合に用いられる記録紙としては、感熱紙からなるロール紙が用いられ、プリンタとしては、サーマルプリンタが用いられる例が多い。
【０００３】
この場合、ホルダを介してサーマルプリンタに装填されるロール紙は、プラテンローラと印字ヘッドとの間に供給紙片部が送り込まれ、プラテンローラにより送り出されながら印字ヘッドにより必要な印字を行うことができるようになっている。
【０００４】
ところで、このようなロール紙が用いられるサーマルプリンタにおいては、印字ヘッドに到達するまでにある程度の距離が必要であることから、プラテンローラの動きなどが原因となってその間を走行しているときに蛇行してしまい、正しい記録位置に印字することができなくなるという問題があった。
【０００５】
このような蛇行発生の問題については、ロール紙の回転により強い制動をかけることで一応は解消させることができるものの、制動をかけ過ぎるとプラテンローラが生成する送出付勢力を上回る制動がかけられてしまい、その間に位置する送出紙片部が無理に引っ張られて破れてしまうという新たな問題が生じることになる。
【０００６】
このような蛇行の発生をなくする手法としては、ロール紙の回転にあまり強い制動をかけることなく装填した上で、送出路中に配置して供給紙片部の面と摺接するガイド部材と、該ガイド部材に取り付けて供給紙片部の両側部と摺接する側部ガイドとを備えた用紙ガイド機構を介して、印字ヘッド側に送出紙片部を蛇行させることなく送り込むようにした技術も、例えば下記特許文献１に開示されているように既に提案はされている。
【特許文献１】特開２００１−３９５９５号公報
【発明の開示】
【発明が解決しようとする課題】
【０００７】
ところで、特許文献１に開示されている用紙ガイド機構によれば、ロール紙から送り出される送出紙片部をガイド部材を介することで蛇行させることなく印字ヘッド側へと送り込むことはできる。
【０００８】
しかし、特許文献１に示されているガイド部材は、その構造が複雑であることから設置コストが嵩むほか、設置した後の点検作業などの保守コストも必要になる不都合があった。
【０００９】
本発明は、従来技術にみられた上記課題に鑑み、記録紙として用いられるロール紙から送り出される供給紙片部を印字ヘッドに至るまで蛇行させずに位置規制しながら円滑に送り出すことができるロール紙用プリンタを提供することを目的とする。
【課題を解決するための手段】
【００１０】
本発明は、上記目的を達成すべくなされたものであり、一対の側板部と、これら側板部相互間に架け渡された天板部と、該天板部の下面側にその長さ方向に沿わせて配設された印字ヘッドとを備えてなるプリンタ本体と、ホルダ付きのロール紙を収容する凹曲カバー本体部と、該凹曲カバー本体部に設けられてプリンタ本体の前記側板部側に各別に揺動可能に取り付けられる一対の支腕部とを備えてなるプラテンローラ付きのロール紙カバーとを備え、装填された前記ロール紙から引き出された供給紙片部の送り出し方向を規制すべく、いずれか一方の側に位置する前記側板部と、該側板部側に位置する前記支腕部が内側面に備える凹部を介して配置される可動案内片との間で形成される給紙方向規制機構は、前記プラテンローラの周方向での略後半部周りに配置されて前記ロール紙から引き出された前記供給紙片部の対向側縁と面一となって対面する内側面高さを有する送出ガイド部と、該送出ガイド部から後方に延設され、かつ、前記ホルダの外側面と当接する突出長を有して該ホルダの支軸を下支えする軸受け部をその内側面に備えてなる案内片本体部とを前記可動案内片に具備させるとともに、前記側板部の内側面に突設された大径筒部と、前記可動案内片がその外側面に備えて前記支腕部の挿通孔を介して前記大径筒部内に挿入される小経筒部とを、相互間に圧縮用コイルスプリングを内在させて組み合わせることにより構成し、前記可動案内片を介して他方の前記側板部側に常に押圧付勢された状態のもとで装填されるロール紙から引き出される前記供給紙片部の前記対向側縁は、前記送出ガイド部の前記内側面を介して該内側面と常に面一となるようにすることで、前記供給紙片部の送り出し方向の規制を可能としたことことを最も主要な特徴とする。
【００１１】
この場合、前記可動案内片には、該可動案内片が必要以上に前記他側板側に押し込まれないようにすべく、前記支腕部に設けられた掛止孔への掛止を可能に挿通配置されるストッパー片をその外側面に具備させるのが好ましい。
【発明の効果】
【００１２】
本発明によれば、ロール紙が備えるホルダを常時他方の前記側板部側に押圧付勢する可動案内片を介することで、ロール紙が仮に湿気を吸って幅方向がある程度長くなるようなことがあっても、ロール紙を常にその直進送出し方向と正対する位置関係のもとでロール紙カバー内に正しく装填して印字ヘッド側へと供給紙片部を送り込むことができる。
【００１３】
しかも、可動案内片は、装填後のロール紙から引き出された供給紙片部の対向側縁と面一となって対面する送出ガイド片部を備えているので、印字前後の供給紙片部の対向側縁を送出ガイド部の内側面に沿わせることで、蛇行させることなく円滑に送り出すことができる。また、可動案内片がストッパー片を備えている場合には、可動案内片が必要以上に他方の前記側板部側に押し込まれないようすることができる。
【発明を実施するための最良の形態】
【００１４】
図１は、本発明の一例につきロール紙カバー側をプリンタ本体側から引き開いた状態で示す全体斜視図であり、図２は、図１の要部拡大図である。図３は、装填されるロール紙と、ロール紙カバーへの装填時に必要になるホルダとの関係を示す斜視図であり、そのうちの（ａ）は、ロール紙とホルダとを分離した状態を、（ｂ）は、ロール紙にホルダを装着した状態をそれぞれ示す。また、図４は、図３に示すホルダ付きのロール紙をロール紙カバー側に装填する際の配置関係を示す要部斜視図である。
【００１５】
これらの図によれば、ロール紙用プリンタ１１は、印字ヘッド１６を備えるプリンタ本体１２と、装填されたホルダ４５付きのロール紙４２への印字ヘッド１６による印字を可能にして、プリント本体１２が備える一対の側板部１３，１４側と一対の支腕部２４，２５を介して取り付けられるプラテンローラ２８付きのロール紙カバー２２と、該ロール紙カバー２２の一方の支腕部（図示例では左側に位置する支腕部１４）側とプリンタ本体１２の一方の側板部（図示例では左側に位置する側板部１３）側との間で構成される給紙方向規制機構３２とでその全体が形成されている。
【００１６】
このうち、プリンタ本体１２は、図示しない波形記録計などの計測機器側に組み込むことができる左右一対の側板部１３，１４と、これら側板部１３，１４相互間に架け渡された天板部１５とを備えた略門型形状が付与されて形成されている。
【００１７】
そして、サーマルヘッドからなる印字ヘッド１６は、天板部１５の下面側にその長さ方向（図示例では左右方向）に沿わせて配設されている。
【００１８】
ロール紙カバー２２は、ホルダ４５付きのロール紙４２を収容する凹曲カバー本体部２３と、該凹曲カバー本体部２３の左右に配置されてプリンタ本体１２の側板部１３，１４側に揺動自在に連結される一対の支腕部２４，２５とを備えて形成されている。
【００１９】
また、支腕部２４，２５の内側面２４ａ，２５ａには、ロール紙４２が備えるホルダ４５側を受け入れてこれを個別に支持するための凹部２６が各別に設けられている。
【００２０】
そして、プラテンローラ２８は、ロール紙カバー２２をプリンタ本体１２側に押し戻して印字できるようにセットした際に印字ヘッド１６の発熱面側と向き合わせる必要があることから、図示しない右端部側が右側に位置する支腕部２５の先端部側に回転自在に軸支され、左端部２８ａが左側に位置する支腕部２４の先端部に設けられている切欠溝２７を介して回転自在に支持されている。
【００２１】
一方、給紙方向規制機構３２は、図５に示す要部拡大分解斜視図および図６に示す要部拡大平断面図に示されているように、プリンタ本体１２の左側に位置する側板部１３側と、ロール紙カバー２２の左側に位置する支腕部２４側とを介することで構成されている。
【００２２】
すなわち、給紙方向規制機構３２は、ロール紙カバー２２の支腕部２４の内側面側にその凹部２６を介して配置される可動案内片３３と、プリンタ本体１２の側板部１３の内側面の適位置に突設されている大径筒部１７と、支腕部２４との間で構成されている。
【００２３】
このうち、可動案内片３３は、図７（ａ）に示す外側からみた全体斜視図や図７（ｂ）に示す内側からみた全体斜視図からも明らかなように、プラテンローラ２８の周方向での略後半部周りに配置される送出ガイド部３４と、該送出ガイド部３４から後方に向けて広幅に延設された案内片本体部３５とを備えて形成されている。
【００２４】
また、案内片本体部３５の外側面略中央位置には、側板部１３の大径筒部１７と対向する位置関係をとる小径筒部３６が、支腕部２４に設けられている挿通孔３０を介して大径筒部１７ともども挿通配置できるように突設されている。該小径筒部３６と大径筒部１７との間で形成される空間部１９内には、圧縮用コイルスプリング１８が収容される。
【００２５】
しかも、案内片本体部３５における小径筒部３６の上下には、図６に示すようにロール紙カバー２２の支腕部２４に形成されている掛止孔２９に挿通して圧縮用コイルスプリング１８により内方に必要以上に押し込まれないように掛止するためのストッパー片３７が各２個突設されている。
【００２６】
さらに、案内片本体部３５の内側面略中央位置、つまり小径筒部３６と略一致する内側位置には、ロール紙４２が備える左側のホルダ４５の図示しない支軸（図３および図４の右側のホルダ４５の支軸４５ａと同じ）を下支えするための軸受け部３８が形成されている。
【００２７】
該軸受け部３８は、ホルダ４５をその支軸４５ａを下支えした際に該ホルダ４５の外側面４６と当接する突出長を備えている。
【００２８】
また、案内片本体部３５の内側面３５ａの下側縁側には、凹曲カバー本体部２３の支腕部２４が備える凹部２６内にその曲面に沿わせて載置される当接部３９が庇状に突設されている。
【００２９】
しかも、可動案内片３３における送出ガイド部３４の内側面３４ａは、ホルダ４５を介してロール紙４２が装填された際に、該ロール紙４２から図８に示すように引き出された供給紙片部４３の対向側縁４３ａと面一に位置してその送り出し方向を規制できる面高さが付与されて形成されている。これは、ロール紙カバー２２の支腕部２４が備える凹部２６内に可動案内片３３側を配置し、該可動案内片３３を介してロール紙４２を装填した際の配置関係のもとで実現されることになる。
【００３０】
つまり、給紙方向規制機構３２は、圧縮用コイルスプリング１８の付勢力により可動案内片３３を介して所定範囲のもとでホルダ４５側を側板部１４側に押し込むことができ、したがって、ロール紙４２自体も常に正しい位置関係のもとで装填することができることになる。また、可動案内片３３の送出ガイド部３４は、プラテンローラ２８の周方向での略後半部周りに配置されているので、ロール紙４２から引き出された印字前と印字後の供給紙片部４３の対向側縁４３ａを、常に可動案内片３３の送出ガイド部３４の内側面３４ａに沿わせてやることができることになる。
【００３１】
次に、上記構成からなる本発明の作用・効果を図示例に基づいて説明すれば、プリンタ本体１２側からロール紙カバー２２を引き開いた状態のもとで、ロール紙４２をホルダ４５を介して回転自在に凹曲カバー本体部２３内に収容する。
【００３２】
このとき、ホルダ４５は、それぞれの支軸４５ａを介してロール紙カバー２２の支腕部２４，２５側に下支えされる。
【００３３】
また、ロール紙４２から引き出された供給紙片部４３は、プラテンローラ２８の円周上に配置され、その状態のもとでロール紙カバー２２をプリンタ本体１２側に押し戻して印字ヘッド１６とプラテンローラ２８との間に配置され、印字に必要なロール紙４２のセット作業を終了する。
【００３４】
このとき、ロール紙４２自体は、仮に湿気を吸って幅方向がある程度長くなるようなことがあっても、送り出し方向に直進させる位置関係のもとでロール紙カバー２２側に装填することができる。しかも、供給紙片部４３の対向側縁４３ａは、給紙方向規制機構３２を構成している可動案内片３３の送出ガイド部３４の内側面３４ａによりその送り出し方向が規制されるようにして配置されることになる。
【００３５】
このようにしてロール紙４２のセットを終えた後は、プラテンローラ２８との協動のもとで印字ヘッド１６を作動させることにより、対応位置にある供給紙片部４３に対し必要な印字が行いつつ順次送り出して行くことになる。
【００３６】
この場合、ホルダ４５側は、可動案内片３３を介して常に内側（側板部１４側）に押し付けられているので、ロール紙４２が仮に湿気を吸って幅方向がある程度長くなるようなことがあっても、ロール紙４２を常にその直進送出し方向と正対する位置関係のもとでロール紙カバー２２内に正しく装填して印字ヘッド１６側へと供給紙片部４３を送り込むことができる。しかも、可動案内片４５は、装填後のロール紙４２から引き出された供給紙片部４３の対向側縁４３ａと面一となって対面する送出ガイド片部３４を備えているので、印字前後の供給紙片部４３の対向側縁４３ａを送出ガイド部３４の内側面３４ａに沿わせることで、蛇行させることなく円滑に送り出すことができる。
【図面の簡単な説明】
【００３７】
【図１】本発明の一例につきロール紙カバー側をプリンタ本体側から引き開いた状態で示す全体斜視図。
【図２】図１における蓋体側の要部を拡大して示す説明図。
【図３】装填されるロール紙と、ロール紙カバーへの装填時に必要になるホルダとの関係を示す斜視図であり、そのうちの（ａ）は、ロール紙とホルダとを分離した状態を、（ｂ）は、ロール紙にホルダを装着した状態をそれぞれ示す。
【図４】図３に示すホルダ付きのロール紙をロール紙カバー側に装填する際の配置関係を示す要部斜視図図１における蓋体側の要部を拡大して示す説明図。
【図５】給紙方向規制機構の概要を示す要部拡大分解斜視図。
【図６】給紙方向規制機構の概要を示す要部拡大平断面図。
【図７】給紙方向規制機構を構成する可動案内片の一例を示す説明図であり、そのうちの（ａ）は左側方向からみた全体斜視図を、（ｂ）は右側方向からみた全体斜視図をそれぞれ示す。
【図８】ロール紙を印字できるようにセットした際の配置関係を示す要部説明図。
【符号の説明】
【００３８】
１１  ロール紙用プリンタ
１２  プリンタ本体
１３，１４側板部
１５天板部
１６印字ヘッド
１７大径筒部
１８圧縮用コイルスプリング
１９空間部
２２ロール紙カバー
２３凹曲カバー本体部
２４，２５支腕部
２４ａ，２５ａ内側面
２６凹部
２７切欠溝
２８プラテンローラ
２８ａ左端部
２９掛止孔
３０挿通孔
３２給紙方向規制機構
３３可動案内片
３４送出ガイド部
３４ａ内側面
３５案内片本体部
３５ａ内側面
３６小径筒部
３７ストッパー片
３８軸受け部
３９当接部
４２ロール紙
４３供給紙片部
４３ａ対向側縁
４５ホルダ
４５ａ支軸
４６外側面
【図１】
0005184190.tif 000002
【図２】
0005184190.tif 000003
【図３】
0005184190.tif 000004
【図４】
0005184190.tif 000005
【図５】
0005184190.tif 000006
【図６】
0005184190.tif 000007
【図７】
0005184190.tif 000008
【図８】
0005184190.tif 000009